(57)【要約】      （修正有）【課題】持ち上げることが容易で注ぐ時も大きな力が不要な大型ボトルから容器に注ぐ時の大型ボトルホルダーと注ぎ台を提供する。【解決手段】ペットボトルホルダーは、ペットボトルの一側面を沿わせるためのプレート部と、プレート部の下側に設けられたペットボトルの底部を受けるための底受部と、プレート部の上端側の両側に形成された、ペットボトルの側面を挟み込むための一対の挟み込み片部と、それぞれの挟み込み片部の先端側に形成された一対のハンドル部と、を備える。ハンドル部を握ると、挟み込み片部がペットボトルの側面を挟んでペットボトルを保持する。注ぎ台は、支持台部と、支持台部に設けられた山型の支柱３と、支柱に回転可能に取り付けられた収容箱と、を備え、収容箱はペットボトルホルダーを収納できるように形成されている。【選択図】図５
0003218487.tif 000002
【実用新案登録請求の範囲】
【請求項１】
大型のペットボトルを取り付けて傾けたり移動させたりするペットボトルホルダーであって、ペットボトルの一側面を沿わせるためのプレート部と、このプレート部の下側に設けられたペットボトルの底部を受けるための底受部と、前記プレート部の上端側の両側に形成された、前記ペットボトルの前記一側面の両側の一対の側面を挟み込むための一対の挟み込み片部と、それぞれの挟み込み片部の先端側に形成された一対のハンドル部と、を備えたことを特徴とするペットボトルホルダー。
【請求項２】
前記一対のハンドル部を握ると、前記一対の挟み込み片部が前記ペットボトルの前記一対の側面を挟んで前記ペットボトルを保持する、ことを特徴とする請求項１記載のペットボトルホルダー。
【請求項３】
支持台部と、この支持台部に設けられた支柱と、この支柱に回転可能に取り付けられた収容箱と、を備え、前記収容箱は、請求項１、又は請求項２のペットボトルホルダーにペットボトルを取り付けて収納できるように形成されている、ことを特徴とする注ぎ台。
【考案の詳細な説明】
【技術分野】
【０００１】
本考案は柔軟性のある素材でできているボトルホルダーと例えば一枚のボードの向かい合う辺に山型の支柱があり、この支柱の間にボトルを保持したボトルホルダーを入れる箱が回転できるように取り付けられている構造のものに関する。
【背景技術】
【０００２】
大型のペットボトルは老若男女を問わず持つ時、手に収まり辛く、力を入れて握ると滑りやすく零すことがある。また小型のペットボトルを複数購入するのは価格的にも環境的にも好ましくない。そこで特許文献1に示すように、ペットボトル自体に指を掛ける凹部を形成したものが開発されているが、凹部は浅く指先だけでペットボトルを保持するのはやはり容易ではない。その問題を解決するのが大型ボトルホルダーと注ぎ台である。
【先行技術文献】
【特許文献】
【０００３】
【特許文献１】特開2017-128348号
【考案の開示】
【考案が解決しようとする課題】
【０００４】
そのため、様々な大型ペットボトルホルダーが販売されているが、これらは持ち上げることは容易でも注ぐ時はかなりの力を要する。本考案は、このような不便さを軽減する大型ボトルから容器に注ぐ時の大型ボトルホルダーと注ぎ台を提案する。
【課題を解決するための手段】
【０００５】
この問題を解決するためのペットボトルホルダーは大型のペットボトルを取り付けて傾けたり移動させたりするペットボトルホルダーであって、ペットボトルの一側面を沿わせるためのプレート部と、このプレート部の下側に設けられた、ペットボトルの底部を受けるための底受け部と、前記プレート部の上端側の両側に形成された、前記ペットボトルの前記一側面の両側の一対の側面を挟み込むための一対の挟み片部と、それぞれの挟み込み片部の先端側に形成された一対のハンドル部と、を備えたものである。一対のハンドル部を握ると、前記一対の挟み込み片部が前記ペットボトルの前記一対の側面を挟んで前記ペットボトルを保持するように構成するのが好ましい。また、ペットボトルホルダーと組み合わせて使用される注ぎ台は、支持部と、この支持部に設けられた支柱と、この支柱に回転可能に取り付けられた収容箱と、を備え、前記収容箱は、請求項1又は請求項2のペットボトルホルダーにペットボトルを取り付けて収納できるように構成されているものである。
さらに、大型ボトルホルダーと注ぎ台は、例えば、柔軟性のある取っ手付きボトルホルダーと、一枚のボードの向かい合う辺に山型の支柱があり、その間にはボトルホルダーを入れる収納箱を回転可能に設けている注ぎ台から構成することができる。この箱と山型の支柱は、山型の支柱の頂点の穴に箱を貫通する一体化棒を通すことで一体化されている大型ボトルホルダーと注ぎ台とすることができる。
【考案の効果】
【０００６】
大型ボトルホルダーと注ぎ台を使用する時は、大型ボトルホルダーに大型ボトルを入れ、両方の取っ手を握ると、柔軟性のある素材でできているので大型ボトルの胴の部分を締め付けて滑り落ちない。その状態で注ぎ台の箱に入れる。箱の前方には例えば大型のボトルの注ぎ口がはまるように、Uの字にカットされているので安定する。
【図面の簡単な説明】
【０００７】
【図１】注ぎ台を正面から見た図
【図２】注ぎ台を側面から見た図
【図３】注ぎ台を分解した図
【図４】大型ボトルホルダーを分解した図
【図５】大型ボトルを保持した大型ボトルホルダーを注ぎ台に実際にセットしている図
【図６】容器に実際に液体を注いでいる図
【図７】大型ボトルホルダーを注ぎ台の箱にセットする場合及び注ぎ台から大型ボトルホルダーを取り出す場合の図
【図８】大型ボトルホルダーに大型ペットボトルを取り付ける場合及び大型ボトルホルダーから大型ペットボトルを取り出す場合の図
【考案を実施するための形態】
【０００８】
本考案は大型のボトル15を注ぎ易くするためのものである。
大型ボトルホルダー10は、一枚のプラスチック製プレートを折り曲げ、ゴム製の筒状取っ手カバー12を取り付けることにより構成されている。
大型ボトルホルダー10は、長方形状の基板19と、この基板19の下端に折り曲げることにより形成された底部21と、この底部21の折り曲げ状態を保持する左右一対の保持片23、23と、基板19の上側に折り曲げることにより形成されている左右一対の挟み込み片部25、25と、を一体的に有している。挟み込み片部25の突出枝部26はハンドル部を形成している。
底部21は先端に上方へ曲げられた外れ止め部27を有し、基端部が外れ止め部27に一体的に接続された外れ止め部側保持片23の先端と、基端部が基板19の下端に一体的に接続された基板側保持片23の先端とをビス29で接続することにより、基板19に対して底部21をさらに底部21に対して外れ止め部27を直角に折れ曲がった状態で保持している。
そのため注ぎ台ボード2の左右両辺に向かい合う一対の小型の支柱3がビス4で留められ頂点に穴7が設けられ、その穴7に一体化棒13を通すことにより、収容箱8と注ぎ台ボード2が一体化され、注ぎ台17が構成される。一体化棒13の両端には抜け防止のキャップ14が付いている。また受け容器16の置く場所を合わすための延長ボード5が蝶板6で取り付けられている。
【０００９】
大型ボトル15を入れた大型ボトルホルダー10は、そのまま冷蔵庫に入れることが出来る。また大型ボトルホルダー10は、中身の様子が見えるように多くの切り抜き18がある。使用後も水でさっと洗い流せるので便利である。
【符号の説明】
【００１０】
１  大型ボトルホルダーと注ぎ台          
２  注ぎ台ボード                        
３  山型の支柱
４  山型の支柱と注ぎ台を固定するビス
５  延長ボード
６  蝶板
７  頂点の穴
８  収容箱
９  収容箱のくぼみ
１０  大型ボトルホルダー
１２  大型ボトルホルダーの取手カバー
１３  山型支柱と受け箱を一体化する棒
１４  一体化棒のキャップ
１５  大型のボトル
１６  容器
１７  注ぎ台
１８  大型ボトルホルダーの多くの切り抜き
１９  基板
２１  底部
２３  保持片
２５  挟み込み片部
２６  突出枝部
２７  外れ止め部
２９  大型ペットボトルホルダーの留め具（ビス）
【図１】
0003218487.tif 000003
【図２】
0003218487.tif 000004
【図３】
0003218487.tif 000005
【図４】
0003218487.tif 000006
【図５】
0003218487.tif 000007
【図６】
0003218487.tif 000008
【図７】
0003218487.tif 000009
【図８】
0003218487.tif 000010